(57)【要約】【課題】外付け式ハードディスクの提供。【解決手段】主にシールド外ケース、ディスクドライブ本体、ディスクドライブ回路板を含む。該ディスクドライブ回路板は該ディスクドライブ本体に接続し、該ディスクドライブ本体と該ディスクドライブ回路板は該シールド外ケース内に収容される。該ディスクドライブ回路板は該ディスクドライブ本体の前端面に平行に設置し、該ディスクドライブ回路板の表面は該シールド外ケースの前壁面に接触する。こうして、本考案のディスクドライブ回路板は垂直に設置され、該ディスクドライブ本体の前端面に緊密に接触し、これにより該ディスクドライブ回路板が占拠する該シールド外ケースの空間は非常に小さくなり、こうして外付け式ハードディスクの体積はよりコンパクトになり、電子製品に対するより小さくとの市場の要求を満たすことができる。さらに、シールド外ケースの体積も小さくなるため、使用する材料も少なくなり、製造コストを低減させることができる。【選択図】図１
0003129051.tif 000002
【実用新案登録請求の範囲】
【請求項１】
シールド外ケース、ディスクドライブ本体、ディスクドライブ回路板を含み、該ディスクドライブ回路板は該ディスクドライブ本体に接続し、該ディスクドライブ本体と該ディスクドライブ回路板は該シールド外ケース内に収容され、
該ディスクドライブ回路板は該ディスクドライブ本体の前端面に平行に設置し、該ディスクドライブ回路板の表面は該シールド外ケースの前壁面に接触することを特徴とする外付け式ハードディスク。
【請求項２】
請求項１記載の外付け式ハードディスクにおいて、前記ディスクドライブ回路板の表面には外部電源コンセント、USBコンセント、及び他の電子回路部品を固定接続し、該シールド外ケース上にはこれに対応し開口を開設し、該外部電源コンセント、該USBコンセントは該開口より露出し、該ディスクドライブ回路板の反対側の表面上には内部電源プラグ、伝送コンセント、及び他の電子回路ピンを設置することを特徴とする外付け式ハードディスク。
【請求項３】
請求項２記載の外付け式ハードディスクにおいて、前記外部電源コンセント、該USBコンセントは該ディスクドライブ回路板の表面のおよそ中央部位に設置し、該外部電源コンセントと該USBコンセントの接続口は該ディスクドライブ本体の前端に正面対応し、これに対応し該シールド外ケースの前壁面には開口を設けることを特徴とする外付け式ハードディスク。
【請求項４】
請求項２記載の外付け式ハードディスクにおいて、前記外部電源コンセントと該USBコンセントは該ディスクドライブ回路板の表面のエッジ位置に設置し、該該外部電源コンセントと該USBコンセントの接続口は共に該ディスクドライブ本体の側面に向かい、これに対応し該シールド外ケースの側面には開口を設けることを特徴とする外付け式ハードディスク。
【請求項５】
請求項１記載の外付け式ハードディスクにおいて、前記シールド外ケースは上外ケースと下外ケースを含み、
該上外ケースは頂壁と一対の側壁を具え、該下外ケースは底壁面、前壁面、一対の側壁面を具え、該４者間に収容空間を形成し、該上外ケースは上から下へと該下外ケース上において垂直に嵌合し、該上外ケースの両側壁はそれぞれ該下外ケースの両側壁面と嵌合することを特徴とする外付け式ハードディスク。
【請求項６】
請求項５記載の外付け式ハードディスクにおいて、前記下外ケースの前壁面と両側壁面の頂端はそれぞれ該収容空間の片側に向かい水平に延伸し、第二ガード片を形成し、該第二ガード片は該ディスクドライブ本体の頂面において押し止めることを特徴とする外付け式ハードディスク。
【考案の詳細な説明】
【技術分野】
【０００１】
本考案は一種の外付け式ハードディスクに関する。特に一種の空間を節減可能でコストを低減可能な外付け式ハードディスクに係る。
【背景技術】
【０００２】
コンピュータの普及に従い、異なる機能を備えた各種コンピュータ周辺設備が次々に開発され、ユーザーの多様な要求に応えている。
ポータブルディスク、外付け式ハードディスクの機能はデータの保存であるが、外付け式ハードディスクはディスクドライブとディスクドライブシールドケースを含み、ディスクドライブはシールドケース内に収容される。ディスクドライブはさらにハードディスクドライブコネクタ回路板を備え、ディスクドライブをPCに接続する。公知の外付け式ハードディスクのディスクドライブコネクタ回路板は該ディスクドライブに平行に該ディスクドライブの片側に設置し、シールドケース内に収容する。
しかし、上記公知の外付け式ハードディスクはディスクドライブコネクタ回路板が該ディスクドライブに平行にシールドケース内に収容されるため、シールドケース内の空間を大きく占拠し、電子製品の体積に対するよりコンパクトにとの市場の要求に符合しない。また、シールドケースは金属などの材料により製造するため、シールドケースの面積が大きくなればなるほど必要とする材料も多くなり、製造コストも高くなってしまう。
【考案の開示】
【考案が解決しようとする課題】
【０００３】
主に外付け式ハードディスクを提供し、ディスクドライブ回路板の設置位置を変更した設計により、該ディスクドライブ回路板が占拠するシールド外ケースの空間を非常に小さくし、こうして外付け式ハードディスクの体積をよりコンパクトにし、
すなわちそれは、シールド外ケース、ディスクドライブ本体、ディスクドライブ回路板を含み、該ディスクドライブ回路板は該ディスクドライブ本体に接続し、該ディスクドライブ本体と該ディスクドライブ回路板は該シールド外ケース内に収容され、
該ディスクドライブ回路板は該ディスクドライブ本体の前端面に平行に設置し、該ディスクドライブ回路板の表面は該シールド外ケースの前壁面に接触し、
こうして、本考案のディスクドライブ回路板は垂直に設置され、該ディスクドライブ本体の前端面に緊密に接触し、該ディスクドライブ回路板が占拠する該シールド外ケースの空間は非常に小さくなり、こうして外付け式ハードディスクの体積はよりコンパクトになり、電子製品に対するより小さくとの市場の要求を満たすことができ、さらに該シールド外ケースの体積も小さくなるため、使用する材料も少なくなり、製造コストを低減させることができる外付け式ハードディスクを提供する。
【課題を解決するための手段】
【０００４】
請求項１の考案は、シールド外ケース、ディスクドライブ本体、ディスクドライブ回路板を含み、該ディスクドライブ回路板は該ディスクドライブ本体に接続し、該ディスクドライブ本体と該ディスクドライブ回路板は該シールド外ケース内に収容され、
該ディスクドライブ回路板は該ディスクドライブ本体の前端面に平行に設置し、該ディスクドライブ回路板の表面は該シールド外ケースの前壁面に接触することを特徴とする外付け式ハードディスクとしている。
請求項２の考案は、請求項１記載の外付け式ハードディスクにおいて、前記ディスクドライブ回路板の表面には外部電源コンセント、USBコンセント、及び他の電子回路部品を固定接続し、該シールド外ケース上にはこれに対応し開口を開設し、該外部電源コンセント、該USBコンセントは該開口より露出し、該ディスクドライブ回路板の反対側の表面上には内部電源プラグ、伝送コンセント、及び他の電子回路ピンを設けることを特徴とする外付け式ハードディスクとしている。
請求項３の考案は、請求項２記載の外付け式ハードディスクにおいて、前記外部電源コンセント、該USBコンセントは該ディスクドライブ回路板の表面のおよそ中央部位に設置し、該外部電源コンセントと該USBコンセントの接続口は該ディスクドライブ本体の前端に正面対応し、これに対応し該シールド外ケースの前壁面には開口を設けることを特徴とする外付け式ハードディスクとしている。
請求項４の考案は、請求項２記載の外付け式ハードディスクにおいて、前記外部電源コンセントと該USBコンセントは該ディスクドライブ回路板の表面のエッジ位置に設置し、該該外部電源コンセントと該USBコンセントの接続口は共に該ディスクドライブ本体の側面に向かい、これに対応し該シールド外ケースの側面には開口を設けることを特徴とする外付け式ハードディスクとしている。
請求項５の考案は、請求項１記載の外付け式ハードディスクにおいて、前記シールド外ケースは上外ケースと下外ケースを含み、
該上外ケースは頂壁と一対の側壁を備え、該下外ケースは底壁面、前壁面、一対の側壁面を備え、該４者間に収容空間を形成し、該上外ケースは上から下へと該下外ケース上において垂直に嵌合し、該上外ケースの両側壁はそれぞれ該下外ケースの両側壁面と嵌合することを特徴とする外付け式ハードディスクとしている。
請求項６の考案は、請求項５記載の外付け式ハードディスクにおいて、前記下外ケースの前壁面と両側壁面の頂端はそれぞれ該収容空間の片側に向かい水平に延伸し、第二ガード片を形成し、該第二ガード片は該ディスクドライブ本体の頂面において押し止めることを特徴とする外付け式ハードディスクとしている。
【考案の効果】
【０００５】
本考案外付け式ハードディスクはディスクドライブ回路板が垂直に設置され、ディスクドライブ本体の前端面に緊密に接触する設計により、ディスクドライブ回路板が占拠するシールド外ケースの空間は非常に小さくなり、こうして外付け式ハードディスクの体積はよりコンパクトになり、電子製品に対するより小さくとの市場の要求を満たすことができる。さらに、シールド外ケースの体積も小さくなるため、使用する材料も少なくなり、製造コストを低減させることができる。
【考案を実施するための最良の形態】
【０００６】
図１、２に示すように、本考案の外付け式ハードディスク１はシールド外ケース１０、ディスクドライブ本体２０、ディスクドライブ回路板３０を含む。
該シールド外ケース１０は長方形状を呈し水平に設置し、該シールド外ケース１０はさらに上外ケース１１と下外ケース１２を含む。
該上外ケース１１は頂壁１１１を備え、該頂壁１１１の相対する両側は外に向かい延伸し、垂直に下方へと屈折し一対の側壁１１２を形成する。
該下外ケース１２は底壁面１２１を備え、該底壁面１２１の相対する両側は外に向かい延伸し、垂直に上方へと屈折し一対の側壁面１２３を形成する。該底壁面１２１の前側は外に向かい延伸し、垂直に上方へと屈折し前壁面１２２を形成する。該前壁面１２２上には第一開口１２５、第二開口１２６、一対のネジ孔１２７を開設する。該底壁面１２１、該前壁面１２２、該両側の壁面１２３は収容空間１２４を取り囲み形成する。
該前壁面１２２と該両側壁面１２３の頂点端はそれぞれ該収容空間１２４の片側に向かい水平に延伸し第二ガード片１２８を形成する。該側壁面１２３の前端は該前壁面１２２片側に向かい垂直に延伸し第三ガード片１２９を形成する。該第三ガード片１２９は該前壁面１２２に密着する。
【０００７】
該ディスクドライブ本体２０は概ね長方形状を呈し、水平に設置する。該ディスクドライブ回路板３０は垂直に設置し、該ディスクドライブ本体２０の前端面に密着する。該ディスクドライブ回路板３０の表面のおよそ中央部位置には外部電源コンセント３２、USBコンセント３３、及び他の電子回路部品を固定接続する。
該電源コンセント３２の接続口は該ディスクドライブ本体２０の前端に正面対応し、該電源コンセント３２は該外付け式ハードディスク１を家庭用電源(図示なし)に接続するために用いる。
該USBコンセント３３の接続口は該該ディスクドライブ本体２０の前端に正面対応し、該USBコンセント３３は該外付け式ハードディスク１をコンピュータ(図示なし)に接続するために用いる。
該ディスクドライブ回路板３０上にはさらに一対のネジヤマ孔３４を開設する。
図３に示すように、該ディスクドライブ回路板３０の別の表面上には内部電源プラグ３５、伝送コンセント３６、及び他の電子回路のピンを設置する。
該内部電源プラグは電源を該ディスクドライブ本体２０に接続するために用い、該伝送コンセント３６と該ディスクドライブ本体２０は接続し、データの読み取り、信号の伝送を行う。
【０００８】
図１に示すように、本考案の外付け式ハードディスク１の組合せ時には、先ず該ディスクドライブ回路板３０の内部電源プラグ３５、該伝送コンセント３６を該ディスクドライブ本体２０の関連部品(図示なし)と対応させ相互に接続する。これにより、該ディスクドライブ回路板３０と該ディスクドライブ本体２０は接続される。
続いて、組合せられたディスクドライブ本体２０とディスクドライブ回路板３０を該下外ケース１２の後端から水平に該収容空間１２４に挿入する。これにより、該ディスクドライブ回路板３０は該下外ケース１２の前壁面１２２に接触し、しかも該ディスクドライブ回路板の電源コンセント３２とUSBコンセント３３はそれぞれ該下外ケース１２の第一開口１２５と第二開口１２６中から露出する。該第二ガード片１２８はそれぞれ該ディスクドライブ本体２０の頂面をガードする。
さらに該上外ケース１１は上から下へと垂直に該下外ケース１２上に嵌合し、該上外ケース１１の両側壁１１２はそれぞれ該下外ケース１２の両側壁面１２３と嵌合する。第一ガード片は該前壁面１２２に密着する。
最後に一対のネジ４０を該シールド外ケース１０のネジ孔１２７にそれぞれ挿入し、該シールド外ケース１０と該ディスクドライブ回路板３０を接続する。こうして本考案外付け式ハードディスク１の組合せを完成する。
【０００９】
本考案の外付け式ハードディスク１の使用時には、該電源コンセント３２はケーブルにより家庭用電源と接続し、該USBコンセント３３はケーブルによりコンピュータと接続する。こうして該外付け式ハードディスク１はよりコンピュータとの間の電気的連接を完成し、データ信号は両者間で伝送され、該外付け式ハードディスク１のデータ保存の機能を実現する。
【００１０】
続いて図４、５に示すように、市場の様々な要求に応えるために、本考案の外付け式ハードディスク１の電源コンセント３２’とUSBコンセント３３’はディスクドライブ回路板３０’の表面エッジに設置し、しかも該電源コンセント３２’と該USBコンセント３３’の接続口は共に該ディスクドライブ本体２０’の側面に向かう。これに対応し、該上外ケース１１’の側壁１１２’上には第三開口１１４’を開設し、該下外ケース１２’の側壁面１２３’上には第四開口１２５’を開設し、これにより電源コンセント３２’、USBコンセント３３’の接続口は該上外ケース１１’の表面より露出する。こうして、該外付け式ハードディスク１は側面より外部装置と接続する。
【図面の簡単な説明】
【００１１】
【図１】本考案外付け式ハードディスクの立体分解図である。
【図２】図１組合せ後の立体図である。
【図３】図１のハードディスク本体とディスクドライブ回路板の組合せ表示図である。
【図４】本考案外付け式ハードディスクの別の構造の立体分解図である。
【図５】図４組合せ後の立体図である。
【符号の説明】
【００１２】
１  外付け式ハードディスク
１０  シールド外ケース
１１、１１’  上外ケース
１１１  頂壁
１１２、１１２’  側壁
１１３  第一ガード片
１１４、１１４’  第三開口
１２、１２’  下外ケース
１２１  底壁面
１２２  前壁面
１２３、１２３’  側壁面
１２４  収容空間
１２５  第一開口
１２５’  第四開口
１２６  第二開口
１２７  ネジ孔
１２８  第二ガード片
１２９  第三ガード片
２０  ディスクドライブ本体
３０、３０’  ディスクドライブ回路板
３２、３２’  電源コンセント
３３、３３’  USBコンセント
３４  ネジヤマ孔
３５  内部電源プラグ
３６  伝送コンセント
４０  ネジ
【図１】
0003129051.tif 000003
【図２】
0003129051.tif 000004
【図３】
0003129051.tif 000005
【図４】
0003129051.tif 000006
【図５】
0003129051.tif 000007